Podtech/llm-jp-corpus-v4-ja_patent huggingface dataset:
(57)【要約】【課題】本発明では、借家などで建物へ目立つ傷をつけると後でトラブルとなる場合において、玄関ドアへ目立った傷を付けずに電気錠を取付けることが出来るようにすることを課題とする。【解決手段】本発明では、玄関ドア１の開放側端面２と該ドア１の裏側９に当接するように屈曲した板体３をドア１に当接して端面２側から固定し、この板体３の裏側に電気錠４を取付けるように構成した。【選択図】　図１
2004132159.tif 000002
【特許請求の範囲】
【請求項１】
玄関ドア（１）の開放側端面（２）と該ドア（１）の裏側（９）に当接するように屈曲した板体（３）をドア（１）に当接して端面（２）側から固定し、この板体（３）の裏側に電気錠（４）を取付けてなる電気錠の取付け方法。
【請求項２】
玄関ドア（１）の開放側上端角部（２１）或いは下端角部（２２）において、該ドア（１）の開放側端面（２）と裏側（９）さらに上端面（１０）または下端面（１４）へ当接するように屈曲した板体（３）をドア（１）に当接して端面（２）及び／或いは上端面（１０）側、または下端面（１４）側から固定し、この板体（３）の裏側に電気錠（４）を取付けてなる請求項１に記載の電気錠の取付け方法。
【請求項３】
玄関ドア（１）の表側（２３）と裏側（９）と開放側端面（２）及び取付け側端面（８）に重なりを形成した箱状板体（３）を玄関ドア（１）の上端へ嵌めこみ、この板体（３）の裏側に電気錠（４）を取付けてなる電気錠の取付け方法。
【発明の詳細な説明】
【０００１】
【産業上の利用分野】
本発明は、玄関ドアに電気錠を取付ける方法に関する。
【０００２】
【従来の技術】
玄関ドアへ新たに別の電気錠を追加して取付けるような場合には、ドアの内側面へ螺子等で直接取付けて固定していた。
【０００３】
【発明が解決しようとする課題】
本発明では、借家などで建物へ目立つ傷をつけると後でトラブルとなる場合において、玄関ドアへ目立った傷を付けずに電気錠を取付けることが出来るようにすることを課題とする。
【０００４】
【課題を解決するための手段】
本発明では、玄関ドア１の開放側端面２と該ドア１の裏側９に当接するように屈曲した板体３をドア１に当接して端面２側から固定し、この板体３の裏側に電気錠４を取付けるように構成した。
【０００５】
また、玄関ドア１の開放側上端角部２１或いは下端角部２２において、該ドア１の開放側端面２と裏側９さらに上端面１０、または下端面１４へ当接するように屈曲した板体３をドア１に当接して端面２及び／或いは上端面１０側、または下端面１４側から固定し、この板体３の裏側に電気錠４を取付けるように構成した。
【０００６】
さらに、玄関ドア１の表側２３と裏側９と開放側端面２及び取付け側端面８に重なりを形成した箱状板体３を玄関ドア１の上端へ嵌めこみ、この板体３の裏側に電気錠４を取付けるように構成した。
【０００７】
【発明の作用及び効果】
玄関ドア１の開放側端面２と該ドア１の裏側９に当接するように屈曲した板体３をドア１に当接して端面２側から固定し、この板体３の裏側に電気錠４を取付けるように構成すれば、板体３を玄関ドア１の開放側端面２と該ドア１の裏側９に当接するように屈曲しているので、電気錠４を取付けてロックした場合に玄関ドア１を無理やり開こうとしても強固で開くことが無い。
【０００８】
この構成では、板体３を玄関ドア１の開放側端面２へ取付けているので、取付け孔等の固定用傷が電気錠４を取外した際に玄関ドア１の表側や裏側から見えず、美観を害することが無い。
【０００９】
また、玄関ドア１の開放側上端角部２１或いは下端角部２２において、該ドア１の開放側端面２と裏側９さらに上端面１０、または下端面１４へ当接するように屈曲した板体３をドア１に当接して端面２及び／或いは上端面１０側、または下端面１４側から固定し、この板体３の裏側に電気錠４を取付けるように構成すれば、板体１が玄関ドア１の端面２と裏面９及び上端面１０、または下端面１４へ当接する３つの面で一体的に構成されて更に強固になる。
【００１０】
さらに、玄関ドア１の表側２３と裏側９と開放側端面２及び取付け側端面８に重なりを形成した箱状板体３を玄関ドア１の上端へ嵌めこみ、この板体３の裏側に電気錠４を取付けるように構成すれば、玄関ドア１へ板体３を取付けるための傷を付けることが無いため、板体３を取外せば玄関ドア１を元通りに戻せる。
【００１１】
【実施例】
次に、本発明の一実施例を示す図面を参照しながら説明する。
図１は、玄関ドア１の上端角部２１と下端角部２２に電気錠４を追加して取付けた実施例で、玄関ドア１が強固な場合は片側のみに電気錠４を取付けても良い。
この玄関ドア１には、取っ手５の近くに作り付けの錠６がある。この錠６は、外側からキーでロッド７を出没させて施解錠を行う。
【００１２】
図２は、電気錠４の取付けを示す図で、玄関ドア１の開放側端面２と上面１０と裏側９及び表側２３を包み込むように一体的に曲げた板体３を取付け孔１１，１２を介してタッピング螺子やリベットで玄関ドア１の上端面１０と開放側端面２へ取付ける。
この板体３には電気錠４を取付ける雌螺子１３を４箇所設けて、電気錠４を固定するようにしている。
【００１３】
電気錠４は、リモコンでロッド１４を出没してロッド１４の位置に対応して設ける壁側の受具へ係脱して施解錠を行う。ロッド１４の出没は、ノブ１５を手で回すことによっても行える
【００１４】
図３は、板体３の別実施例を示すもので、玄関ドア１の上端で表側２３と裏側９と開放側端面２及び取付け側端面８に重なる部分を形成した箱状板体３を、上から玄関ドア１の上端へはめ込んで固定する。
【００１５】
図４と図５は、電気錠４を玄関ドア１の上下中間部へ取付ける実施例で、図４の板体３は、コの字状に折り曲げて裏側を取っ手５の取付け螺子２０へ共締めし、開放側端面２を取付け孔１１，１２でリベット固定している。
【００１６】
図５では、板体３の裏面側を延長し、玄関ドア１の取付け側端面１６に引っ掛けた板体１７と長さ調節ロッド１８で連結して固定し、開放側端面２を取付け孔１１，１２でリベット固定している。
【図面の簡単な説明】
【図１】本発明の第一実施例における全体斜視図である。
【図２】本発明の第一実施例における一部の拡大斜視図である。
【図３】本発明の第二実施例における一部の拡大斜視図である。
【図４】本発明の第三実施例における全体斜視図である。
【図５】本発明の第四実施例における全体斜視図である。
【符号の説明】
１　玄関ドア
２　開放側端面
３　板体
４　電気錠
５　開放側上端角部
６　開放側下端角部
８　取付け側端面
９　裏側
１０　上端面
１４　下端面
２１　開放側上端角部
２２　下端角部
２３　表側
【図１】
2004132159.tif 000003
【図２】
2004132159.tif 000004
【図３】
2004132159.tif 000005
【図４】
2004132159.tif 000006
【図５】
2004132159.tif 000007
(57)【要約】　　　（修正有）【課題】コンクリート型枠せき板支えの為の便利な締めつけ金物を提供する。【解決手段】コンクリート梁型枠を両側から締め付ける金属製金物で、角材１に両側からはめ込み、両側に設けた金属棒掛け６に金物締め付け金属棒２と、角材締め付け金属棒３を通し、締め付けようナット７を回すことにより梁幅を正確に保持し、又角材１と一体式になることを特徴とするコンクリート梁型枠締め付け金物。【選択図】図３
2004132158.tif 000002
【特許請求の範囲】
【請求項１】
図３に示すようにコンクリート梁型枠を両側から締めつける金属製金物で、角材１に両側からはめ込み、両側に設けた金属棒掛け６に金物締めつけ金属棒２と、角材締めつけ金属棒３を通し、締めつけ用ナット７を回すことにより梁幅を正確に保持し、又角材１と一体式になる事を特徴とするコンクリート梁型枠締めつけ金物である。
【発明の詳細な説明】
【０００１】
【発明に属する技術分野】
この発明はコンクリート梁型枠締めつけ金物に関する。
【０００２】
【従来の技術】
従来は両側のせき板に２段の締めつけ棒を通し両側からナットで締めつけるタイプのものが主流で外側から締めつけ保持するもので別々に保持しているのが普通であった。
【０００３】
【発明が解決しようとする課題】
従来工法の２段の締めつけ棒がいらなくなりコンクリート面の締めつけ棒の穴埋めもはぶける。又組立手間及び工期の短縮が出来る。
【０００４】
【課題を解決するための手段】
本発明では図３に示すごとく、せき板押さえ部分を金属一体構造で作り、角材１に両端から挿入し、端にねじ切りしてある２本の金物締めつけ金属棒２と、同じく端にねじ切りしてある角材締めつけ金属棒３を通し、締めつけ用ナット７を回すことにより、型枠の締めつけ保持が出来るようにした。８と３よりなる下半分は、端にねじ切りしてある金属棒を外せば、分離することも出来る。
【０００５】
【発明の実施の形態】
図３では１組のものしか描いていないが、実際はこれを多数横に並べてせき板を保持する。金物締めつけ金属棒２の長さを変えれば幅は自由に調整できる。
【０００６】
【発明の効果】
せき板に穴を開け締めつけ棒を通す必要がなくなり、コンクリート面の締めつけ棒の穴の処理も必要なくなった。従来の外側からの締めつけ金物と比較しても使用上便利さが増した。
【図面の簡単な説明】
【図１】正面図
【図２】側面図
【図３】斜視図
【符号の説明】（１）角材　（２）金物締めつけ金属棒　（３）角材締めつけ金属棒　（４）せき板保持部　（５）補強部　（６）金属棒掛け　（７）締めつけ用ナット　（８）角材締めつけ部材　（９）釘穴
【図１】
2004132158.tif 000003
【図２】
2004132158.tif 000004
【図３】
2004132158.tif 000005
(57)【要約】【目的】この発明はトイレや洗面所などの床面に設置される水封防臭式ワントラップ型排水機構における、悪臭の逆流や排水口の詰まりなど、特に環境的に不潔になりやすい汚染箇所の環境向上を目的とし、水封防臭式ワントラップの排水口に消臭粒を入れたバスケットをセットして、ダブルで環境汚染を保持しようとするワントラップの消臭バスケットに関するものである。【構成】トイレや洗面所などの床面などに設置される水封防臭式ワントラップ型排水機構において、ワントラップ内の排水口８に消臭粒４を入れたバスケット１をセットして二重の防臭機構とした基本構成である。【選択図】　図１
2004132152.tif 000002
【特許請求の範囲】
【請求項１】
トイレや洗面所などの床面などに設置される水封防臭式ワントラップ型排水機構において、ワントラップの排水口８に挿入できるサイズで底のみが網目状や多孔状の筒型のバスケット１の上部外周にフランジ２を有して、その下面に密閉用の防臭パッキン３を有した構造のバスケット１内に固形の消臭粒４を入れた消臭バスケットを水封防臭式ワントラップに組み合わせた構成を特徴とするワントラップの消臭バスケット。
【発明の詳細な説明】
【０００１】
【発明の属する技術分野】
この発明はトイレや洗面所などの床面に設置される水封防臭式ワントラップ型排水機構における、悪臭の逆流や排水口の詰まりなど、特に環境的に不潔になりやすい汚染箇所の環境向上を目的とし、水封防臭式ワントラップの排水口に消臭粒を入れたバスケットをセットして、ダブルで環境汚染を保持しようとするワントラップの消臭バスケットに関するものである。
【０００２】
【従来の技術】
従来、トイレや洗面所などの床面に設置される水封防臭式ワントラップ型排水機構はワントラップの単体構成であり、環境的や作用的や管理的に問題が発生した場合の補助的安全保持機能などは施されておらず、特に防臭機構の補助機能的技術は開発されていなかった。
【０００３】
【発明が解決しようとする課題】
従来のトイレや洗面所の水封防臭式ワントラップ型排水機構は補助的安全保持機構が施されていないため次の課題があった。
（イ）ワントラップ排水機構は水封式防臭方式であるため、水が無くなった場合には防臭機能や防虫機能を果たさなくなり、特にトラップ皿の水溜部は上部が開口域であり蒸発による乾燥を促進させるし、また水溜まり域のトラップ皿は構造的にもゴミなどの汚れが溜まりやすい部分であり、床面のゴミなどの異物が集積蓄積され溜まり水量を減少させており、乾燥作用により拍車をかけることになり問題であった。
（ロ）長期間や悪環境での設置によりワントラップの腐食、特にトラップ皿の腐食により水漏れが発生して水封機能がなくなるため、防臭機能や防虫機能を果たさなくなっており問題であった。
（ハ）トラップ皿に床面のゴミなどの異物が集積蓄積されているため防臭ワンが正規にセットされず防臭機能や防虫機能が発揮されていない。
（ニ）ワントラップ排水機構は構造的にもトイレなどの床面のゴミなどの異物が溜まりやすいためワントラップ部や排水口が詰まってしまう、ワントラップの詰まりについては開放しての清掃が可能であるが、排水口や排水管の詰まりは修復が困難で非常に問題であった。
（ホ）水封式ワントラップ排水口の機構や作用などを理解する人も少なく、水の補給を滞るなどの人為的、管理的問題も多かった。
【０００４】
【問題を解決するための手段】
いまその課題を解決するための構成を図面により説明すれば、
（イ）トイレや洗面所などの床面などに設置される水封防臭式ワントラップ型排水機構において、ワントラップ内の排水口８に消臭粒４を入れたバスケット１をセットして二重の防臭機構とした基本構成である。
（ロ）ワントラップの排水口８に挿入できるサイズで底のみが通排気や通水が可能な網目状や多孔状の筒型のバスケット１の上部外周に排水口８上面に接合用のフランジ２を有して、その下面に密閉用の防臭パッキン３を有した構造のバスケット１内に活性炭や各種セラミックや各種鉱石や各種加工剤など固形の消臭粒４を入れた構成とする。
【０００５】
【作用】
次に本発明の作用を述べると、
（イ）トイレなどの床面の清掃などで水洗いした水やゴミなどの異物は目皿５を通って防臭ワン６よりトラップ皿７に溜まり、溢れる水は排水口８にセットされているバスケット１の消臭粒４を通って排水される作用である。
（ロ）バスケット１の消臭粒４を通った水はゴミなどをある程度浄化されており排水管の詰まり防止に作用します。
（ハ）排水管内部から逆流する臭気はバスケット１のフランジ２と防臭パッキン３により密閉されるためバスケット１の底から消臭粒４を通るため消臭される作用であり、トラップ皿７に水が無い場合でも有効に作用します。
（ニ）バスケット１内の消臭粒４は定期的に交換する作用である。
【０００６】
【発明の実施の形態】
具体実施例を述べる、
（イ）排水口８上面と防臭パッキン３とフランジ２とを接着し密閉性を向上させる構成とする。
（ロ）消臭粒４を網袋などに入れ袋ごとバスケット１内に入れ、交換も袋ごと一括して行う。
（ハ）消臭粒４を芳香粒とする場合もあるし、また消臭、芳香の兼用粒の場合もある。
（ニ）既存のワントラップの排水口８へバスケット１をセットしてダブルの防構造とする。
【０００７】
【発明の効果】
二重の防臭、防虫作用により、より安全で快適な環境を保持できます。
具体的効果を列記すれば、
（イ）従来のワントラップ排水機構は構造的にも乾燥しやすいし、ゴミなどの異物が溜まりやすい構造であるため水封式防臭、防虫機構としては未だ不十分であったが、ワントラップのバスケット１を排水口８にセットすることによりストラップ皿７の水が乾燥して水封機能が無くなってもバスケット１内の消臭粒４により防臭効果をなすものです。
（ロ）既存のワントラップ排水機構の排水口に追加してセットできるため容易に、且つ安価で二重での防臭効果を高めることができます。
（ハ）排水口８にセットしたバスケット１の消臭粒４によりゴミなどの異物もバスケット１内に保持されるため排水口や排水管の詰まりを削減します。
（ニ）ワントラップが腐食して機能を喪失した場合においても、排水口８にセットしたバスケット１により防臭効果を保持することができます。
（ホ）ワントラップの消臭バスケットは、ワントラップ排水機構における防臭作用の補助的作用と二重の安全保護作用をなすものです。
【０００８】
トイレや洗面所などの環境的に汚染されやすい場所において、防臭作用の二重安全機構を確立できるため、汚れやすい場所の生活環境を向上させ、清潔感のある明るく楽しい社会づくりに大きく貢献するものであります。
【図面の簡単な説明】
【図１】本発明の一部断面図を含む斜視図
【図２】本発明の中央断面図
【符号の説明】
１はバスケット　　　　２はフランジ
３は防臭パッキン　　　４は消臭粒
５は目皿　　　　　　　６は防臭ワン
７はトラップ皿　　　　８は排水口
【図１】
2004132152.tif 000003
【図２】
2004132152.tif 000004
(57)【要約】【課題】本発明は、工事現場にて足場板を容易に固定ができるものである【解決手段】本発明はゴムバンドの金具を足場板に引っ掛けられるようにしてリングの金具を、丸の棒状のものにし足場に引っ掛けられるようにするものである【選択図】図２
2004132148.tif 000002
【特許請求の範囲】
【請求項１】
ゴムバンドの金具を足場板に引っ掛けられるようにしたこと
【請求項２】
リングの金具にも、足場板に引っ掛ける金具を付けたこと
【請求項３】
リングの金具が、円の棒状のものにしたこと
【発明の詳細な説明】
【発明の属する技術分野】工事現場での足場組み立ての際に用いられるゴムバンド金具に関する。
【従来の技術】脚立足場のゴムバンド結束の場合、ひとつの足場板に一本のゴムバンドを何回も巻回して結束しなければならず、結束に時間もかかりめんどうであった。
【発明が解決しようとする課題】一本のゴムバンドで簡単に何枚かの足場板を結束固定したい
【課題を解決するための手段】ゴムバンドの固定用金具を変える、リングにも固定用金具を付ける、リングの金具を丸の棒状のものにする
【発明の実施の形態】
【実施例】
約長さ７０ｃｍ、厚さ２ｍｍ、巾１７ｍｍのゴムを二枚重ねたものの両端に（図２）のような固定用金具を付け、両端の固定用金具と固定用金具のあいだに、数個のリングの金具をゴムにとうしてつける。
（図３）のような足場板を重ねてかけたとき（図５）のように下の足場板にゴムバンドの固定用金具を引っ掛けて次の足場板をリングの付いた金具を引っ掛けっ掛け（図４）のようにそれの繰り返しで簡単に足場板の固定ができます。
【発明の効果】作業員がゴムバンド結束をして安全な作業ができる
【図面の簡単な説明】
【図１】ゴムバンドと金具の断面図
【図２】ゴムバンドと金具の立面図
【図３】脚立に足場板をかけゴムバンド結束したときの平面図
【図４】脚立に足場板をかけゴムバンド結束したときの断面図
【図５】足場板とゴムバンド金具の結束したときの断面図
【図１】
2004132148.tif 000003
【図２】
2004132148.tif 000004
【図３】
2004132148.tif 000005
【図４】
2004132148.tif 000006
【図５】
2004132148.tif 000007
(57)【要約】【課題】ルーバー羽体の横や縦への視覚連続性を確保し、かつ、ルーバー羽体の部材断面強度が過大になる片持ち方式の断面性能を軽減し、ルーバー羽体の形を変えても同一支持金物が利用でき加工製作工場でも現場においてもルーバー角度を適宜選択できる、安価で軽い型材による互換性のあるルーバー羽体支持金物システムを提供する事にある。【解決手段】ルーバー羽体中間空部との係合離脱防止や耐風圧強度支持及び角度選定をしやすい先端円形部とその受けた力を基部の方へ伝達するアーム部そして先端円形中心部から同心円上に設定角度空部を配しボルトナットによる柱材との精度吸収接合固定機能を持ったアルミニウム合金型材による一体形状支持金物部材を作る事によって多種多様なルーバー羽体に同一支持金物を用いる事が出来る。【選択図】　　　　図１
2004132142.tif 000002
【特許請求の範囲】
【請求項１】
下部中間に開放円形空部を持ったルーバー羽体に先端部が円形で基部にルーバー羽体の角度を適宜選択できる複数の円形係合空部と建物外面の柱材にボルトナットを固定しやすいように断面空部を構成してルーバーに係る耐風圧力を受け持ち保持するアーム型ルーバー羽体支持金物。
【発明の詳細な説明】
【０００１】
【発明の属する技術分野】
本発明は、建物外面に設置するルーバー羽体を支持する方法に関する。
【０００２】
【従来の技術】
従来のルーバー羽体支持方法はルーバーの長手方向の両端部に柱材や縦枠材に直接ビス又はボルトで固定している方式と一般的に多く用いられる方式は視覚連続性を重視した柱材からルーバー羽体短辺方向へ支持するルーバー羽体持ち出し方式である。この方式は建築物に取り付ける条件ごとにルーバー羽体支持金物を設計し加工製作しなければならず生産性が低く高価になる元でもある。
【０００３】
【発明が解決しようとする課題】
本発明の課題は、横や縦への視覚連続性があるルーバー羽体持ち出し方式における、ルーバー羽体の耐風圧力強度を受持ち柱材へ伝達し、ルーバー羽体の形を変えても同一支持金物を用いることができ、加工製作工場でも現場においてもルーバー羽体角度を適宜選択できる安価で軽いルーバー羽体支持金物を提供する事にある。
【０００４】
【課題を解決するための手段】
かかる課題を解決するため、本発明は、ルーバー羽体の下面中間部に四分の一開放型円形空部を設け、その部分にルーバー羽体を支える先端円形部のあるアーム型支持金物をスライド差し込む。そのアーム型支持金物の円形先端部はルーバー羽体の耐風圧力強度を受け持つ事と随意角度設定に回転対応し易く、かつ、四分の三係合によってルーバー羽体との離脱をも防ぐ。
【０００５】
また、ルーバー羽体を支持する金物は、先端部及びアーム部と基部においてルーバー羽体の耐風圧力強度を支持する断面性能を持ち、かつ、基部部分には円形先端部中心より中心円上にルーバー羽体の角度を自動的に決める複数の係合する円形空部を有している。
【０００６】
ルーバー羽体を支持する金物は、軽くて丈夫なアルミニウム合金型材とし、各々の建物に取り付けるルーバー羽体耐風圧力強度条件に応じて支持金物長さをカットするだけで用いる事も出来る。また、先端部と基部角度設定用円形空部をルーバー羽体と合わせる事で多種多様なルーバー羽体形状にも同一支持金物を用いる事が出来る。
【０００７】
【発明の実施の形態】
本発明の実施形態に基づいて説明する。図１は柱材に取り付けるルーバー羽体システム全体構成図である。図２はルーバー羽体を取り付ける支持金物構成斜図あり、図３と図４はルーバー羽体の角度選定動作と支持金物との関係を示す側断面図である。
【０００８】
図１のルーバー羽体システム全体構成は、柱材１０にルーバー羽体支持金物１を取り付けた上にルーバー羽体６が支持金物１のアーム先端部２にスライド係合させ、ルーバー羽体６にあらかじめ取り付けてある金物８を支持金物１に空けられている４部分に係合固定する。尚、支持金物１をルーバー羽体６に製作工場や取り付け場所においてスライド係合し角度を決めてから、柱材１０に固定する事も出来るしルーバー羽体６と支持金物１を柱材１０に取り付けた後でもルーバー羽体６の角度変更が出来る。また、支持金物１の２部分に角度設定されたギヤ形状としルーバー羽体６の７及び９部分に支持金物１の２と４部分に対応できるように形状を合わせておけば支持金物１にルーバー羽体６を差し込むだけで求める角度設定タイプもできる。
【０００９】
図２はルーバー羽体６と係合支持する金物１の構成斜図で、ルーバー羽体６の中間部分にスライド係合出来るように加工されている開放空部７に支持金物１の２の部分を差し込む。２部分は円形状になっており支持金物角度設定用空部４にスムーズに回転し角度対応出来るようにしてある。支持金物１の３部分は２部分に乗ったルーバー羽体６の耐風圧力強度を柱材１０に伝達するためのアームでルーバー羽体６自体の強度を補う役割でもある。支持金物１の４空部はルーバー羽体６の設定角度を決めるため２部分の円形中心部から同心円上に所定の角度位置で空いている。５空部は柱材１０にボルトナット１２で固定しやすく開口構成され精度誤差もボルトナットでスライド吸収する。支持金物１の１１空部は支持強度上影響が及ばないよう重量を軽減するためにあける空部であるが空けなくても良い。８及び９はルーバー羽体６にあらかじめ取り付けておく金物８で支持金物１の４空部と係合固定する金物８とボルトナット９である。
【００１０】
図３と図４は柱材１０に取り付けた時の側断面図で、ルーバー羽体６の形状が変わっても支持金物１の２と４空部の位置関係が一定であるのでルーバー羽体６の７と９の関係を支持金物１の２と４位置に合わせていればルーバー羽体６の形状に関係なく支持金物１を用いる事が出来るし角度も選定できる。尚、角度は取り付ける場所においても随意角度が変えられる。
【００１１】
【発明の効果】
以上、説明したように本発明に係るルーバー羽体支持金物システムはルーバー羽体及びルーバー羽体を支持する金物との連帯で構成されているが一つの支持金物で多種多様なルーバー羽体形状が用いられるし、今までルーバー羽体を持ち出し支持していた金物を建物物件ごとに設計加工製作しなくても済み、早く出来、かつアルミニュウム合金型材を用いる事で幾多のルーバー羽体に用いられてきた材料と同一になり外装構成材料の統一と安価なルーバー支持金物システムが成立し利用者の要求にも容易に応えられる。
【図面の簡単な説明】
【図１】本発明に係るルーバー羽体システム全体構成図
【図２】本発明に係るルーバー羽体支持金物構成斜図
【図３】本発明に係る．ルーバー羽体と支持金物の係合側断面図
【図４】本発明に係るルーバー羽体角度変遷係合側断面図
【符号の説明】
１　　ルーバー羽体支持金物
２　　ルーバー係合円径支持部
３　　支持金物アーム部
４　　角度選定係合空部
５　　柱材固定用空部
６　　ルーバー羽体
７　　ルーバー羽体中間開放形空部
８　　ルーバー羽体付角度選定係合用補助金物
９　　補助金物付ボルトナット
１０　　柱材
１１　　支持金物軽量化空部
１２　　柱材接合用ボルトナット
【図１】
2004132142.tif 000003
【図２】
2004132142.tif 000004
【図３】
2004132142.tif 000005
【図４】
2004132142.tif 000006
(57)【要約】【目的】この発明は、パイプ等で簡単に立体的な構造物を組み立てる場合、近年普及してきているドリルビス等を利用して迅速にしかも強度を有し、低コストで美しく組み立てるためのパイプ継ぎ手に関するものである。【構成】従来、鉄パイプは一般に丸い形状をしており、そのままでは先端が固定されずドリルビス等でもなかなか穴明け固定が困難なものである。この場合、一般的にはポンチなどを用いて鉄パイプに窪みをつけドリルが固定しやすいようにして、その後ドリルビス等で穴明け固定する必要があった。ポンチを打つ場合も丸パイプは打ちにくいものであり、能率が悪く実用的でなかった。これに対して、本発明は継ぎ手パイプ１に予めドリルビス等の穴明け固定用にドリルビス等の先端を位置決めする凹み２を設けているため、継ぎ手パイプにパイプ３を差し込み、すぐにドリルビス等でパイプを固定することができ、非常に能率的であり、実用性が高い。【選択図】　図１
2004132146.tif 000002
【特許請求の範囲】
【請求項１】
パイプの表面にドリルビスなどの先端を位置決めするための凹みを設けたパイプ継ぎ手。
【請求項２】
パイプ等で構造物を製作する場合パイプ継ぎ手は一般に各種の方向に取り付けられるため、パイプ継ぎ手の各種取り付け位置を考慮してドリルビス等の先端の位置決めが容易なように、パイプ継ぎ手の表面の複数の方向にドリルビス等の先端を位置決めする凹みを設けたパイプ継ぎ手。
【発明の詳細な説明】
【０００１】
【産業上の利用分野】
この発明は、パイプ等で簡単に立体的な構造物を組み立てる場合、近年普及してきているドリルビス等を利用して迅速にしかも強度を有し、低コストで美しく組み立てるためのパイプ継ぎ手に関するものである。
【０００２】
【従来の技術】
通常パイプ等の継ぎ手にはクランプなどを利用しているが、継ぎ手が立体的に交差するために建築の足場や資材置き場などのあまり美観が必要とされない用途に限定して用いられてきた。
また、塩化ビニルでできたパイプ継ぎ手もあり、塩化ビニルで被覆されたパイプとともに用いて、継ぎ手部分で有機溶剤で継ぎ手とパイプの樹脂を溶かして接合するものであり、パイプ同士を段差なく接合するため美観に優れるが、塩化ビニルを被覆したパイプでしか使用できない欠点があり、また塩化ビニルの継ぎ手は強度的に金属に比較してかなり劣るという欠点もあった。
鉄パイプ等の接合には、線材や板材を加工したもので一般的に固定し、継ぎ手パイプについては接続するだけであったり、あるいはパイプ固定用のネジが装備されていた。
このようにパイプ継ぎ手にドリルビス等の先端を位置決めする凹みを有するものがみられないのは、ドリルビスが開発されて日が浅く、位置決め用の凹みを設けても、わざわざドリルで穴をあけてボルトで締結するには手間がかかり、実用的でなかったことによる。さらに、金属のパイプ継ぎ手の側面に凹みを設けることは、パイプ継ぎ手の製作工程にパイプの内径を確保しながらパイプの側面に凹みを設ける必要があり、加工が複雑になるとともにそのような行程を加える必要があり、量産化ができなかったことにもよる。
近年において、ドリルビスというネジの先端にドリルがついたビスが登場し、穴明けと同時に継ぎ手とパイプを固定することができるようになった。
一方、近年は樹脂の発達も進み、金属に劣らない強度を有する樹脂が開発されてきている。
【０００３】
【発明が解決しようとする課題】
このような状況であるため、市販の鉄パイプ等を利用して低コストで構造物を簡単に組み立てられ、しかもパイプ同士がパイプ継ぎ手を介して段差なく組み立てることができて優れた美観を有し、しかも迅速に組み立てが可能で強度を有するパイプ継ぎ手が強く望まれていた。
【０００４】
【課題を解決するための手段】
いま、その構成を図１により説明すると、
（イ）パイプ継ぎ手１にドリルビス等の先端を位置決めするための凹み２が設けられており、パイプ３をパイプ継ぎ手に差し込んで簡単にドリルビス等で固定することができる構造となっている。
（ロ）また、パイプ等で構造物を製作する場合パイプ継ぎ手は一般に各種の方向に取り付けられるため、パイプ継ぎ手の各種取り付け位置を考慮してドリルビス等で固定しやすいように、パイプ継ぎ手の表面の複数の方向にドリルビス等の先端を位置決めする凹みを設ける必要がある。
例えば、図２において左右対称側に取り付けられる場合、パイプ継ぎ手は現在の裏面が表面になることもあり、それらを考慮しながら取り付けるのではなく、最初から両方に凹みを設けておくのが良い。
以上のように装置する。
【０００５】
【課題を解決するための手段】
次に本発明の作用を述べる。
従来、鉄パイプは一般に丸い形状をしており、そのままでは先端が固定されずドリルビス等でもなかなか穴明け固定が困難なものである。この場合、一般的にはポンチなどを用いて鉄パイプに窪みをつけドリルが固定しやすいようにして、その後ドリルビス等で穴明け固定する必要があった。ポンチを打つ場合も丸パイプは打ちにくいものであり、能率が悪く実用的でなかった。
これに対して、本発明は継ぎ手パイプに予めドリルビス等の穴明け固定用にドリルビス等の先端を位置決めする凹みを設けているため、継ぎ手パイプにパイプを差し込み、すぐにドリルビス等でパイプを固定することができ、非常に能率的であり、実用性が高い。
【０００６】
【実験例】
実験を行ってみると、丸いパイプにドリルビスで穴明け固定を行う場合、ポンチ等を打って凹みを付け、それからドリルビス等で穴明け固定をしないとドリルビスの先端が逃げたり、あるいはドリルビスが工具から外れたりして穴明け固定の能率が非常に悪く、実用的でない。また、構造物を組み立てる場合丸いパイプが垂直に立った状態も多く、この場合は水平にドリルビスで穴明け固定する必要がある。このように水平方向からの穴明け固定ではドリルビスの先端を位置決めする凹みが無ければドリルビスによる穴明け固定は困難である。
【０００７】
【発明の効果】
今日、ドリルビスによる穴明け固定に用いる充電式のハンドドリルは安価に一般的に販売されているから、ドリルビスの先端を位置決めする凹みを有するパイプ継ぎ手を用いることにより誰でも簡単に色々な構造物を美しく製作することができる。本棚や机なども製作が簡単に行え、また簡単な農業用の温室や苗床なども製作できる。また、台車などの試作品を製作することもでき、ドリルビスを取り外すことができるから何度も製作し直すことができる。
高齢化社会の到来とともに、福祉機器の需要も多くなってきているが、各個人の体の寸法に合わせた、ベッドや椅子あるいは車椅子など機器の製作も凹み付きのパイプ継ぎ手があれば、簡単に製作できる。
日本人は匠の民といわれ、加工業により繁栄してきたが、近年はものを製作する喜びを失ってしまったように感じられる。このような継ぎ手を世に送り出すことより、多くの人が製作の喜びを再発見し、ものづくりをとおして活力のある日本社会を再現する契機になれば幸いである。
【図面の簡単な説明】
【図１】２本のパイプを接続するパイプ継ぎ手
【図２】３本のパイプを接続するパイプ継ぎ手
【符号の説明】
１はパイプ継ぎ手
２はドリルビスの先端位置決めのための凹み
３はパイプ
【図１】
2004132146.tif 000003
【図２】
2004132146.tif 000004
(57)【要約】【課題】本発明は、凸円曲状の広角反射面をもつ反射体に、噛み込み装着リングを設け、ガードレール等交通事故防護施設の組み付けボールト頭部に、簡単な人手による押圧で固定装着を可能にし、その装着により、夜間走行車両の照射するライトの反射光で、前遠方から運転者に、防護施設及びその曲折等を視認視覚させ、交通事故防止と安全に寄与することができる。【解決手段】任意の素材をもって、背面が角形又は円形の平面、正面を円曲面状とし、上底両面が半円形平面、但し背面が円形の場合は半円形曲面となる外形体のその背面に、装着対象とするガードレール等事故防護施設の組み付けボールト頭部（５）を包容する空間（３）と、上記（５）のボールト頭部下面辺周に噛み込む、戻り止めを有した噛み込みリング（４）を設けることで、簡単な人手の押圧による固定装着と、単体成形で簡易な製造を可能にした本体（１）に、高輝度反射材（２）を凸円曲状正面に設けた、噛込装着式反射キャツプ。【選択図】　図６
2004132144.tif 000002
【特許請求の範囲】
【請求項１】
任意の素材をもって、背面を角形平面あるいは円形平面とし、正面を凸円曲状として、その上底両面が半円形平面、但し背面が円形の場合は半円形曲面となる本体（１）の凸円曲状正面に反射材を設け、背面に装着対象ボールトの頭部（５）を包容する空間（３）を設けると共に、上記ボールトの頭部（５）の下面周辺に噛み込む、戻り止めを有した噛み込みリング（４）を設けた噛込装着式反射キャップ。
【発明の詳細な説明】
【０００１】
【考案の属する技術分野】
本発明は、ガードレール等の交通事故防護施設に装着し、夜間走行車輛が照射するライトの反射光によって、運転者に事故防護施設の所在及び曲折等を、照射ライトの到達する前遠方地点から、視認視覚させる事故防止のための反射器具に関するものであるが、それに限ることなく夜間及び暗所等の諸所に利用できる。
【０００２】
【従来の技術】
従来においては、設置のガードレール等防護施設自体に、取り付けた支持金物又は別途の支柱を併設して反射器具が装着されている。その他、ガードレール組付規定ボールトを排却して頭部に反射材を付したボールトも使用されている。
【０００３】
【発明が解決しようとする課題】
本発明は、設置のガードレール等に、支持具の取り付けや別途の支柱を設けることを不要とし、定間隔で定位置にあるガードレール等自体の規定の組み付けボールト頭部に、凸円曲状広角反射面を有した本体を、人手の押圧のみによる簡単な装着と、単成形による低コストの製造を可能にしたことで、ガードレール等の交通事故防護施設に装着を促し、夜間走行車輛の事故防止に寄与しようとするものである。
【０００４】
【課題を解決する手段】
上記の課題を解決するための本発明は、合成樹脂等の素材により、背面を角形平面又は円形とし、正面を凸円曲面状にして反射材を設けた反射面として、上底両面が半円形平面、但し背面が円形の場合は半円形の曲面となるその本体（１）の背面に、装着対象となるガードレール等の組み付けボールト頭部（５）の形状に嵌合して包容する空間（３）と、上記（５）の下面辺周に噛み込む、戻り止めを有した噛み込みリング（４）を設け、人手の押圧による簡単な固定装着と、単成形で低コストの製造を可能にすることができる。
【０００５】
【発明の実施形態】
交通事故防護施設のガードレール等を設置するための規定の組み付けボールトは、定間隔の定位置に所在する。その組み付けボールトの頭部（５）に、噛み込みリング（４）を設けることにより、簡単な人手の押圧装着ができる本発明を装着することで、夜間走行車輛の照射ライトが凸円曲状の広角反射面に到達する遠距離から、ガードレール等の事故防護施設及びその曲折等を、運転者に視認視覚させることができる。
【０００６】
【実施例】
以下、添付の図１、図２、図３、図４、図５、図６によって一実施例を説明する。上記各図が示すように、背面を角形平面とし、正面を凸円曲面として、上底両面が半円形平面の半円筒状を本体（１）とし、その本体（１）の装着対象をガードレールの規定の組み付けボールト頭部とした場合、上記背面を４０ミリメートル平方程度とし、背面と正面までの厚みを１５ミリメートル程度としたその背面に、図６に示す装着対象ボールトの頭部（５）を包容するための図５、図４に示す装着対象の包容空間（３）を設け、その包容空間（３）が装着対象ボールト頭部（５）の下部に接して、その下面辺周に噛み込み固定する戻り止めを有した噛み込みリング（４）と、その（４）に平行した噛み込みリング側溝（６）及び噛み込みリング（４）を分割する噛み込みリング分割溝（７）を設けた形体を、ポリカーボネイト等の合成樹脂で成形し、正面の凸円曲面に高輝度反射シート等の反謝材（２）を設けることで、簡単な人手の押圧で固定装着を可能にした、噛み込み装着式の広角反射器具ができる。
【０００７】
【発明の効果】
上述した本発明は、凸円曲面状の広角反射面を有した反射体の装着面とする背面に、装着対象とするガードレール等事故防護施設の組み付けボールト頭部を包容する空間と、噛み込みリングを設けることにより、簡単な人手の押圧装着ができることゝ、簡易な単成形で低コストの製造ができるため、装着対象えの装着が推進され、夜間走行車両の照射ライトが到達する地点から運転者に、ガードレール等防護施設を視認視覚させ、事故防止を促すことで交通の安全に寄与する。
【図面の簡単な説明】
【図１】本発明「噛込装着式反射キャップ」の一実施例による正面図。
【図２】本発明「噛込装着式反射キャップ」の一実施例による側面図。
【図３】本発明「噛込装着式反射キャップ」の一実施例による上面（底面）図。
【図４】本発明「噛込み装着式反射キツプ」の一実施例による背面図。
【図５】本発明「噛込装着式反射キャップ」の一実施例による横断面図。
【図６】本発明「噛込装着式反射キャップ」の一実施例による装着を示す縦断面図。
【符号の説明】
１　本体
２　反射材
３　装着対象の包容空間
４　噛み込みリング
５　装着対象ボールト
６　噛み込みリング側溝
７　噛み込みリング分割溝
【図１】
2004132144.tif 000003
【図２】
2004132144.tif 000004
【図３】
2004132144.tif 000005
【図４】
2004132144.tif 000006
【図５】
2004132144.tif 000007
【図６】
2004132144.tif 000008
(57)【要約】　　　（修正有）【課題】ウェブ・システムを対象に、新たに機能を追加するため、より確実に実現する方法に関するものである。【解決手段】ウェブ・サーバがウェブ・ブラウザにＨＴＭＬ形式のホームページを送信する前に、一旦あらかじめ置かれていた編集プログラムを呼び出し、機能を記述しているコードを自動的にこのＨＴＭＬページに埋め込み、新たに生成されたＨＴＭＬページをウェブ・ブラウザに送信する方法。【選択図】　なし【特許請求の範囲】
【請求項１】
ウェブ・システムにおいて機能を拡張する方法であって、
ウェブ・サーバ上に、ファイル（オン・メモリまたはオン・ディスクの両方を指す、以下同）を自動編集するプログラムおよび機能を記述するコードを置き、該プログラムにより、ファイルに機能コードを追加することが可能となり、
ウェブ・サーバがウェブ・ブラウザにＨＴＭＬ形式のホームページを送信する前に、前記プログラムを呼び出し、該プログラムが機能コードをこのＨＴＭＬページに埋め込み、よって生成された新たなＨＴＭＬページをウェブ・ブラウザに送信する方法。
【発明の詳細な説明】
【０００１】
【産業上の利用分野】
この発明は、すでに運用されているウェブ・システムを対象に、新たに機能を追加する方法に関するものである。
【０００２】
【従来の技術】
従来のウェブ・システムでは、追加機能を使用者に提供するには、従来出来上がっていたＨＴＭＬへの編集作業が発生する。
また、他人が作った機能を利用するには、その機能を自前のウェブ・システムの一部として組み込まないと利用できない。
いずれも、機能を拡張するには、従来のウェブ・システムになんらかのかたちでの編集作業が発生し、システム提供者にとっては大変大きな負担となる。
【０００３】
【発明が解決しようとする課題】
企業がウェブ・システムを使った業務展開において、競争に勝つためには、常にウェブ・システムに新しい機能を取り入れることが求められ、新しい機能を開発することは企業にとって、容易ではない。また、機能を取り入れるたび、ウェブ・システムを構成するＨＴＭＬ（またはその拡張系）への編集作業が発生し、ウェブ・システムの安定性に多大な労力を要する。
本発明では、ある種の新しい機能を既存のウェブ・システムに取り入れるにあたって、人的な行為によるＨＴＭＬへの編集作業を行わずに、既存のウェブ・システムに機能が拡張できる方法を発明したのである。
【０００４】
【課題を解決するための手段】
それを説明すると、
（イ）ウェブ・サーバにファイルを編集できるプログラムを置く。
（ロ）機能を記述するコードをウェブ・サーバ上に置くか、そのコードを動的に生成できるプログラムを置くかのいずれかである。
（ハ）ウェブ・サーバがＨＴＭＬ（静的なもの、または動的に生成されたものを含む）をウェブ・ブラウザに送信する前に、前記の編集プログラムを呼び出す。
（ニ）編集プログラムが機能コード（静的なもの、または動的に生成されたものを含む）を取得し、前記のＨＴＭＬに組み込むことで、新しいＨＴＭＬを生成する。
（ホ）生成された新しいＨＴＭＬをウェブ・ブラウザに送信する。
以上の方法からなる。そのようにして、機能コードに記述されている新しい機能を従来のウェブ・システムに組み込むことができるようになる。
【０００５】
【作用と実施例】
次に、例をあげて説明する。
【０００６】
第１例　ウェブ・システムにヘルプ機能を加える方法
上記“課題を解決するための手段”に示されている手順を踏まえて、電子商店ＷＥＢシステムにユーザの案内役を果たすヘルプ・システムの構築を例として紹介する。
機能コードは、以下の機能により構成される。
（１）定期的に、カレントに表示されているＷＥＢブラウザの情報（ＵＲＬアドレス、ブラウザ情報、ＩＰアドレス情報など）をインターネット上に存在する第三者サーバ（サーバの存在場所は、機能コードに記述している。以下同。）に送り込む。
（２）ブラウザには、機能コードが指定した図形が表示され、使用者がこの図形をクリックした場合、ブラウザが動作するコンピューターが前記の第三者サーバに接続（コネクション）を要求する。
前記の第三者サーバには、以下の機能により構成される。
（１）前記の機能コードにより、送り込まれてきた情報（ブラウザ情報、ＩＰアドレスなど）をディスクに記録しておき、参照できるように備えておく。（２）前記の機能コードの図形へのクリックにより、発生したコネクション要求に対する受付、拒否、無視などの処理を行う。
受付：　ウェブ・ブラウザ上の使用者とメッセージ交換ができるようになる。
拒否：　一定量以上のコネクションを受付しない。
無視：　タイムアウトするまで、コネクション要求を無視。
そのような機能を持った第三者サーバを用い、電子商店ＷＥＢサーバに訪ねてきた使用者にヘルプ・サービスの提供が可能になると考えられる。
使用者が商品を選ぶ時やフォームに何かを記入する時、機能コード図形をクリックし、前記第三者サーバへコネクション要求をし、ヘルプを求めることができる。
【０００７】
第２例　広告代理方式
上記“課題を解決するための手段”に示されている手順を踏まえて、広告出稿システムの構築を例として紹介する。
機能コードには、以下の機能により構成される。
（１）機能コード図形自身はバーナー広告のイメージとなり、ウェブ・ブラウザ　　　上に露出。
（２）機能コード図形がクリックされた場合、広告提供主の広告ページへ遷移する。
そのようなかたちで、新たな広告代理方式として応用できる。
【０００８】
【発明の効果】
なお以上の例のように、このような機能コードを組み込む方法で、既存のウェブ・システムを編集することなく、新たな機能を拡張することが可能になる。そうすることで、既存のウェブ・システムに機能やサービスを拡張する際、従来すでに提供している機能やサービスの質的な低下を防ぐことができ、多大な労力を節約することになる。
また、優れた機能やサービスを導入する際、自前で調達または開発することがなく、気軽に導入できる方法として考えられる。
(57)【要約】【課題】パーソナル・コンピュータやワープロの操作に用いられるキーボードは、キーの数も多く、しかも目印となる突起は２つしかなく、初心者や視覚に障害を持つ人にとっては正確にキーの配置を覚え、よりスムーズな操作を行うのは非常に困難であった。【解決手段】キーボードの任意のキー上に、目印となる突起付きのシールを貼付する。この突起付きのシールは例えば、透明で直径１０ｍｍ程度の円形のシール上に１個または複数の半円球状の突起２が設けられたものである。【選択図】図１
2004005332.tif 000002
【特許請求の範囲】
【請求項１】
キーボードのキーの上面に貼り付けられる大きさと、このキーを操作する際に指の触覚で確認できる表面の突起と、裏面の粘着部分と、を備えたことを特徴とするキーボード貼付用シール。
【請求項２】
前記突起は、上向きの半円球状であり、一つもしくは複数が備えられていることを特徴とする請求項１に記載のキーボード貼付用シール。
【発明の詳細な説明】
【０００１】
【発明の属する技術分野】
本発明は、コンピュータの操作に用いるキーボードに貼付するシールに関する。
【０００２】
【従来の技術】
従来のコンピュータ等の操作に用いられるキーボード３のキーの形状は、図３に示すようにＦキー４と、Ｊキー５のところに小さな突起６が設けられたものである。
【０００３】
【発明が解決しようとする課題】
しかしながら、以上の従来技術によれば、視覚に障害をもつ人が、２つしかない突起をたよりにキーボード操作を習得するのは非常に困難であった。また、視覚に障害を持たなくとも、目印とするキーが２つしかないのはキー操作を習得する上での難点であった。そこで、この発明は、キーの位置を覚えやすいキーボードを提供することを課題とする。
【０００４】
【課題を解決するための手段】
以上の課題を解決するために、請求項１の発明は、キーボードを操作する際の目印となる突起がついていることを特徴とするキーボード貼付用シールである。また、請求項２の発明はキーボードを操作する際の目印となる突起がついた、この突起は一つもしくは複数ついていることを特徴とする、請求項１記載のキーボード貼付用シールである。
【０００５】
【発明の実施の形態】
この発明の一実施形態を、図１、図２に示す。
キーボード貼付用シールの本体１は、透明で直径約１０ミリメートル程度の円形をしており、この本体１の表面には１〜９個の高さ１〜２ミリメートルの半円球状の突起２が設けられている。また、この本体１の裏面は粘着仕様となっており任意のキー位置への貼り付けを可能にしている。
【０００６】
「実施形態の効果」
この実施形態によれば、本体１上の突起２の働きで、キーボードに触れたとき、キー位置の確認が容易に行える。したがって、キーの位置を覚えやすい。
【０００７】
「他の実施形態」
図１の実施形態では、直径約１０ミリメートル程度の円形の表面に、１〜２ミリメートルの半円球状の突起２が１個ついているが、他の実施形態では、複数個の突起２が設けられているものでも良い。また、縦方向もしくは横方向に走る溝を上下に複数個設けたものでも良い。
【０００８】
「発明の効果」
以上説明したように、この発明によれば、キーボードの任意のキーの上面に突起をつけることにより、手元を見なくてもキーの位置を容易に確認しやすい。
【０００９】
また、視覚に障害を持つ人であっても、キーボード上の数箇所に突起の数が異なるシールを貼り付けることにより、キー位置の習得が従来と比較して容易となる。
【図面の簡単な説明】
【図１】この発明の一実施形態を示す表面図である。
【図２】（Ａ）この発明の一実施形態を示す斜視図である。
（Ｂ）この発明の一使用状態を示す斜視図である。
【図３】従来技術を示す表面図である。
【符号の説明】
１　キーボード貼付用シール本体
２　表面の突起
３　キーボード
４　キーボード上のＦキー
５　キーボード上のＪキー
６　ＦキーとＪキー上の小さな突起
【図１】
2004005332.tif 000003
【図２】
2004005332.tif 000004
【図３】
2004005332.tif 000005
(57)【要約】【課題】薬の飲み忘れ等を本人や家族・介護者等による管理によるものからＩＴを活用して薬の飲み忘れ等を未然に防ぎ、医療行為・健康情報管理を促進する。【解決手段】医師・薬局２で診察・調剤をしてもらった患者１に医師・薬局２の情報より投薬情報サービス４が患者１のＩＴ機能搭載機器に薬等の飲む時間等のコールを直接または記録媒体から送り、薬を飲んだ確認コールを患者１から直接または記録媒体に受け、そのデーターを記録し、医師・薬局２にフィードバックする。【選択図】　　　図２
2004005359.tif 000002
【特許請求の範囲】
【請求項１】
医師・薬局２で診察・調剤をしてもらった患者１に医師・薬局２の情報より投薬情報サービス４が患者１のＩＴ機能搭載機器に薬等の飲む時間等のコールを直接送り、薬を飲んだ確認コールを患者１から直接受け、患者１の安否情報・確認をし、そのデーターを活用・記録し、医師・薬局２にフィードバックする。
【請求項２】
医師・薬局２で診察・調剤をしてもらった患者１に医師・薬局２の情報より投薬情報サービス４が患者１のＩＴ機能搭載機器に薬等の飲む時間等のコールを記録媒体に書き込み、薬を飲んだ確認コールを患者１が記録媒体に書き込み患者１が医師・薬局２に持参して診察・調剤をしてもらえるサービス。
【請求項３】
上記のサービスをするために発信・受信・確認・記録機能をパソコン・携帯電話・ゲーム機・ヘッドホン・テレビ・電話・家電製品・その他備品等広範囲に持たせる。
【請求項４】
ＩＴを活用した投薬情報ビジネスから得た情報・サービス等を他の情報・サービスに活用すること。
【発明の詳細な説明】
【０００１】
【発明の属する技術分野】
本発明は、投薬情報をＩＴ機器を活用して取り込み、集計し、顧客にサービスを提供することによる健康管理の投薬情報ビジネスに関する。
【０００２】
【従来の技術】
従来、医師や薬局などから貰った薬や食事療法などは本人や家族・介護者等による管理によるものであった。
【０００３】
最近では、薬手帳などによってその管理を促進する動きもあるが、薬の飲み忘れ等はおきているのが現状である。
【０００４】
一方、病院や薬局からその都度連絡する方法では時間と手間・費用がかかり実用的でない。
【０００５】
【発明が解決しようとする課題】
薬や食事療法などの管理をＩＴを活用して薬の飲み忘れ等未然に防ぎ、医療行為・健康情報管理を促進する。
【０００６】
本発明は、薬の飲み忘れ等を本人や家族・介護者等による管理によるものからＩＴを活用して薬の飲み忘れ等を未然に防ぎ、医療行為・健康情報管理を促進することを目的としている。
【０００７】
また、この情報サービスによって一人暮らし等のお年よりの日々の安否確認が出来、管理不手際による家族の不仲が無くなり、安心感が増し、健康にも良い。
【０００８】
【課題を解決するための手段】
上記目的を達成するために、本発明の方法においては、薬を飲む時間等の情報が発信・受信されるＩＴ機器を活用する。
【０００９】
その情報を医師や薬局等が受信し、未受信のときは手動・自動的に催促信号を送ることで、薬や食事療法などの忘れを防止する。
【００１０】
またその情報処理したものを顧客・医師・薬局等にフィードバックすることによって的確な健康管理を促進する。
【００１１】
発信・受信・確認機能をパソコン・携帯電話・ゲーム機・ヘッドホン・テレビ・電話・家電製品・その他備品等広範囲に持たせる。
【００１２】
薬を飲む時間等の発信コールとその確認データーの記録媒体を医師・薬局等で確認・集計する。
【００１３】
【発明の実施の形態】
発明の実施の形態を図面を参照して説明する。
図１において、医師・薬局２で診察・調剤をしてもらった患者１に医師・薬局２の情報より投薬情報サービス４が患者１のＩＴ機能搭載機器に薬等の飲む時間等のコールを直接または記録媒体から送り、薬を飲んだ確認コールを患者１から直接または記録媒体に受け、そのデーターを記録し、医師・薬局２にフィードバックする。
【００１４】
次回以降の患者１の診察・調剤で医師・薬局２は薬が正しく飲まれたかのデーターを投薬情報サービス４の情報や患者１の記録媒体から判断し、診察等に役立たせる。
【００１５】
もし、患者１からの確認コールが投薬情報サービス４に無い場合、警備会社・介護サービス３から患者１に安否確認もできるようにする。
【００１６】
さらに、そのデーターから薬の服用状況が判り、医師や薬局２の対処方法また患者１の健康管理も改善される。
【００１７】
図２に示される実施方法では、携帯電話７やＩＴ機能搭載薬箱９に投薬情報サービス４から薬等の飲む時間等のコールを直接または記録媒体から送り、薬を飲んだ確認コールを患者１から直接またはフロッピーデスク６や磁気カード８の記録媒体に受け、そのデーターを記録し、医師・薬局２にフィードバックする。
【図面の簡単な説明】
【図１】ＩＴを活用した投薬情報ビジネスのシステム図である。
【図２】パソコン・携帯電話・フロッピーディスク・磁気カード・薬箱などにＩＴ機能搭載した機器を活用した投薬情報ビジネスの概略図である。
【符号の説明】
１　患者
２　医師・薬局
３　警備会社・介護サービス
４　投薬情報サービス
５　パソコン
６　フロッピーディスク
７　携帯電話
８　磁気カード
９　ＩＴ機能搭載薬箱
【図１】
2004005359.tif 000003
【図２】
2004005359.tif 000004